(57)【特許請求の範囲】
【請求項１】
被検体に投与した放射性同位元素から得られるガンマ線を検出し、前記放射性同位元素の３次元分布画像を構築するガンマカメラ装置において、
前記ガンマ線を検出する検出手段と、
前記被検体と前記検出手段との間に配置される符号化開口板と、
前記検出手段により検出した前記ガンマ線に基づいて画像を再構成する画像再構成手段と、
前記被検体内の観察位置および前記符号化開口板間の距離と、前記符号化開口板および前記検出手段間の距離とで決まる前記画像の分解能を許容範囲内とすべく、前記観察位置に応じて、前記被検体および前記検出手段間での前記符号化開口板の位置を調節する調節手段と、
を備え、前記画像再構成手段は、前記被検体を分割したｎ個の各ボクセルから一定時間内に放射される前記ガンマ線のカウント数をＳ＝（Ｓ1，Ｓ2，…，Ｓn）、前記検出手段のｍ個の各検出素子で一定時間内に検出される前記ガンマ線のカウント数をＰ*＝（Ｐ*1，Ｐ*2，…，Ｐ*m）、前記カウント数Ｐ*の期待値をＰ＝（Ｐ1，Ｐ2，…，Ｐm）として、前記カウント数Ｓを観測する条件下でカウント数Ｐ*を得る条件付確率Ｐｒｏｂ（Ｐ*｜Ｓ）を、
【数１】
0003860979.tif 000005
とし、前記条件付確率Ｐｒｏｂ（Ｐ*｜Ｓ）が最大となる前記カウント数Ｓを算出して前記画像を再構成することを特徴とするガンマカメラ装置。
【請求項２】
請求項１記載の装置において、
前記調節手段は、前記観察位置から見た前記符号化開口板の前記検出手段に対する拡大率αを１．５〜３．５の範囲で調節可能であることを特徴とするガンマカメラ装置。
【請求項３】
請求項１記載の装置において、
前記検出手段は、複数の半導体検出素子からなることを特徴とするガンマカメラ装置。
【請求項４】
請求項３記載の装置において、
前記半導体検出素子は、ＣｄＴｅまたはＣｄＺｎＴｅであることを特徴とするガンマカメラ装置。
【請求項５】
請求項１記載の装置において、
前記検出手段は、１次元に配列されることを特徴とするガンマカメラ装置。
【請求項６】
請求項１記載の装置において、
前記検出手段は、２次元に配列されることを特徴とするガンマカメラ装置。
【請求項７】
請求項１記載の装置において、
検出手段は、ガンマ線の波長変換を行うシンチレータと、前記シンチレータによって得られた光を検出する位置感応型フォトマルチプライアとからなることを特徴とするガンマカメラ装置。
【請求項８】
請求項７記載の装置において、
前記シンチレータと前記位置感応型フォトマルチプライアとは、光ファイバーによって連結されることを特徴とするガンマカメラ装置。
【請求項９】
請求項１記載の装置において、
検出手段は、ガンマ線の波長変換を行うシンチレータと、前記シンチレータによって得られた光を検出する複数のフォトダイオードとからなることを特徴とするガンマカメラ装置。
【請求項１０】
請求項７〜９のいずれか１項に記載の装置において、
前記シンチレータは、ＮａＩ：Ｔｌ、ＣｓＩ：Ｎａ、ＬｕＳｉＯ５：Ｃｅ（ＬＳＯ）、（Ｌｕ１-ｘＧｄｘ）ＳｉＯ５：Ｃｅ（ＬＧＳＯ）、ＹＡｌＯ３のいずれかからなることを特徴とするガンマカメラ装置。
【請求項１１】
請求項１記載の装置において、
前記符号化開口板は、Ｍ系列の規則からなる複数の開口部を１次元的に配列してなるコリメータにより構成されることを特徴とするガンマカメラ装置。
【請求項１２】
請求項１記載の装置において、
前記符号化開口板は、Ｍ配列の規則からなる複数の開口部を２次元的に配列してなるコリメータにより構成されることを特徴とするガンマカメラ装置。
【請求項１３】
請求項１記載の装置において、
前記符号化開口板は、少なくとも１周期分の複数の開口部を１次元的に配列したＭ系列のコリメータまたは２次元的に配列したＭ配列のコリメータにより構成されることを特徴とするガンマカメラ装置。
【請求項１４】
請求項１３記載の装置において、
前記検出手段による前記被検体の検出範囲は、前記開口部の１周期分の長さをＬ、前記コリメータから前記被検体内の観察位置までの距離をＺ、前記コリメータから前記検出手段までの距離をＤとして、Ｌ・（Ｄ＋Ｚ）／Ｄ以下となるように設定することを特徴とするガンマカメラ装置。
【請求項１５】
請求項１記載のガンマカメラ装置において、
再構成された前記画像を表示する画像表示手段と、
前記画像に対して重畳される他の画像を供給する画像供給手段と、
を備えることを特徴とするガンマカメラ装置。
【請求項１６】
請求項１５記載の装置において、
前記画像供給手段は、ＣＴ診断装置であることを特徴とするガンマカメラ装置。
【請求項１７】
請求項１５記載の装置において、
前記画像供給手段は、核医学診断装置であることを特徴とするガンマカメラ装置。
【請求項１８】
請求項１５記載の装置において、
前記画像供給手段は、ＭＲ診断装置であることを特徴とするガンマカメラ装置。
【請求項１９】
請求項１５記載の装置において、
前記画像供給手段は、デジタルカメラ装置であることを特徴とするガンマカメラ装置。
【発明の詳細な説明】
【０００１】
【発明の属する技術分野】
本発明は、被検体に投与した放射性同位元素から得られるガンマ線を検出し、前記放射性同位元素の３次元分布画像を構築するガンマカメラ装置に関する。
【０００２】
【従来の技術】
例えば、医療分野において、放射線検出器およびコンピュータを組み合わせ、被検体の内部情報を示す画像を得る装置が広汎に利用されている。代表的なものとして、対向して配置される放射線発生源および放射線検出器を被検体の回りに旋回させてスキャンし、被検体を透過するＸ線の吸収値を測定して処理することにより、前記被検体の断層画像を得るようにしたＸ線ＣＴ装置がある。
【０００３】
しかしながら、このＸ線ＣＴ装置は、放射線発生源および放射線検出器を被検体の回りに旋回させなければならず、装置が大がかり且つ高価なものとなる不具合がある。
【０００４】
これに対して、近年、被検体に投与した放射性同位元素（ＲＩ）から得られるガンマ線を平面上に配置した複数の検出器によりシンチレータを介して検出し、検出された情報に基づいて被検体の内部情報を再構築するようにしたガンマカメラ装置が開発されている。
【０００５】
さらに、このようなガンマカメラ装置において、シンチレータの前面に所定の配列規則に従って多数の開口部を形成した、いわゆる、符号化開口板を配置し、得られた情報から被検体の内部情報の３次元画像を構築できるように構成したガンマカメラ装置が提案されている（計測自動制御学会論文集Vol.28,No.4,426/432（1992）「Ｍ配列を用いた符号化開口放射型ＣＴ」、（社）計測自動制御学会計測部門第１７回センシングフォーラム（2000）「符号化開口ＣＴを用いた99mＴｃ３次元分布再構成」参照）。
【０００６】
【発明が解決しようとする課題】
本発明は、被検体の内部情報に係る画像を高い分解能で得ることのできるガンマカメラ装置を提供することを目的とする。
【０００７】
【課題を解決するための手段】
前記の課題を解決するために、本発明は、被検体に投与した放射性同位元素から得られるガンマ線を検出し、前記放射性同位元素の３次元分布画像を構築するガンマカメラ装置において、
前記ガンマ線を検出する検出手段と、
前記被検体と前記検出手段との間に配置される符号化開口板と、
前記検出手段により検出した前記ガンマ線に基づいて画像を再構成する画像再構成手段と、
前記被検体内の観察位置および前記符号化開口板間の距離と、前記符号化開口板および前記検出手段間の距離とで決まる前記画像の分解能を許容範囲内とすべく、前記観察位置に応じて、前記被検体および前記検出手段間での前記符号化開口板の位置を調節する調節手段と、
を備え、前記画像再構成手段は、前記被検体を分割したｎ個の各ボクセルから一定時間内に放射される前記ガンマ線のカウント数をＳ＝（Ｓ1，Ｓ2，…，Ｓn）、前記検出手段のｍ個の各検出素子で一定時間内に検出される前記ガンマ線のカウント数をＰ*＝（Ｐ*1，Ｐ*2，…，Ｐ*m）、前記カウント数Ｐ*の期待値をＰ＝（Ｐ1，Ｐ2，…，Ｐm）として、前記カウント数Ｓを観測する条件下でカウント数Ｐ*を得る条件付確率Ｐｒｏｂ（Ｐ*｜Ｓ）を、
【数１】
0003860979.tif 000002
とし、前記条件付確率Ｐｒｏｂ（Ｐ*｜Ｓ）が最大となる前記カウント数Ｓを算出して前記画像を再構成することを特徴とする。
【０００９】
【発明の実施の形態】
図１は、本実施形態のガンマカメラ装置１０を示す。このガンマカメラ装置１０は、寝台１２上に配置された被検体１４から放射されるガンマ線を検出するガンマカメラ１６と、ガンマカメラ１６によって検出されたガンマ線に基づき、被検体１４内の３次元画像を再構成するための画像再構成部１８（画像再構成手段）とから基本的に構成される。画像再構成部１８は、例えば、パソコンによって構成され、ガンマカメラ１６を制御するためのデータ等を入力するキーボード２０と、再構成された画像を表示するためのディスプレイ２２（画像表示手段）とを備える。
【００１０】
ガンマカメラ１６は、ガイドバー２４ａ、２４ｂによってカメラ本体２６に支持され、被検体１４に対するガンマカメラ１６の距離を一定に保持するためのプレート２８と、カメラ本体２６とプレート２８との間に配設されるコリメータ３０（符号化開口板）とを備える。コリメータ３０は、例えば、カメラ本体２６に取り付けられたナット部材３２に螺合するねじ部材３４をノブ３６（調節手段）を介して回動させることにより、カメラ本体２６とプレート２８との間でガイドバー２４ａ、２４ｂを介して変位可能に構成される。なお、プレート２８は、被検体１４から放射されるガンマ線を透過してカメラ本体２６に導くことのできる材料であれば、いかなるものを利用してもよい。
【００１１】
コリメータ３０は、図２に示すように、多数のピンホール状の開口部３８をＭ配列に従い所定の周期パターン４０で形成したものである。この場合、Ｍ配列とは、疑似ランダム系列であるＭ系列の規則で開口部３８の間隔を設定したものを２次元的に配列したものであり、その自己相関関数は、δ関数に近く、ピーク以外では相関関数値が一定となる特徴を備えている。なお、コリメータ３０として、Ｍ系列の規則からなる開口部３８を１次元的に配列したものを用いることもできる。
【００１２】
一方、ガンマカメラ１６は、被検体１４から放射されたガンマ線によって蛍光を発するシンチレータ４２と、蛍光を検出してガンマ線のカウント数に対応する電気信号に変換するシンチレーション検出器４４（検出手段）と、シンチレーション検出器４４からの位置に応じたカウント数のデータを画像再構成部１８に転送するための信号処理回路４６とを備える。
【００１３】
コリメータ３０、シンチレータ４２およびシンチレーション検出器４４は、平行に配設される。シンチレータ４２に近接して配設されるシンチレーション検出器４４は、位置感応型フォトマルチプライアまたは複数のフォトダイオードを１次元または２次元配列して構成することができる。位置感応型フォトマルチプライアまたは複数のフォトダイオードを１次元配列する場合には、それに対応してコリメータ３０およびシンチレータ４２も１次元配列のものとし、例えば、ガンマカメラ１６をこれらの配列方向と直交する方向に走査し、得られるガンマ線の検出データを適宜信号処理することにより、２次元配列の場合と同様の情報を得ることが可能である。
【００１４】
なお、位置感応型フォトマルチプライアとシンチレータ４２とを光ファイバーによって連結して構成することにより、シンチレータ４２から得られた光を位置感応型フォトマルチプライアに効率的に導くことができる。
【００１５】
シンチレータ４２は、例えば、ＮａＩ：Ｔｌ、ＣｓＩ：Ｎａ、ＬｕＳｉＯ５：Ｃｅ（ＬＳＯ）、（Ｌｕ１-ｘＧｄｘ）ＳｉＯ５：Ｃｅ（ＬＧＳＯ）、ＹＡｌＯ３等から選択することができる。
【００１６】
また、シンチレータ４２およびシンチレーション検出器４４に代えて、ガンマ線から直接的に電気信号を得ることのできる半導体検出素子を用いることもできる。この場合、半導体検出素子としては、例えば、ＣｄＴｅ、ＣｄＺｎＴｅ等を用いることができる。なお、半導体検出素子の場合においても、複数の素子を１次元または２次元配列として構成することができる。
【００１７】
本実施形態のガンマカメラ装置１０は、基本的には以上のように構成されるものであり、次に、このガンマカメラ装置１０の動作原理並びに作用効果について説明する。
【００１８】
先ず、被検体１４から放射されるガンマ線をカウントすることにより画像を再構成する原理について説明する。
【００１９】
図３に示す模式図では、ガンマ線を放射する放射線源の存在し得る被検体１４をｎ個のボクセルに分割し、その１つをｊ（ｊ＝１、２、…、ｎ）とし、また、ガンマ線を検出するシンチレーション検出器４４のピクセル数をｍとし、その１つをｉ（ｉ＝１、２、…、ｍ）としている。
【００２０】
ｊ番目のボクセルがある一定時間内に放射するガンマ線のカウント数の期待値をＳj、ｉ番目の画素で一定時間内に検出されるガンマ線のカウント数の期待値をＰi、実際に検出されるガンマ線のカウント数をＰ*iとする。ボクセルｊから放射されたガンマ線がピクセルｉで検出される確率をｆijとすると、次の関係が成り立つ。
【００２１】
【数１】
0003860979.tif 000003
【００２２】
放射線源から放射されるガンマ線のカウント数は、ポアソン分布に従ってランダムに変動するため、シンチレーション検出器４４のピクセルｉで検出されるカウント数もランダムに変動し、その期待値Ｐiは、（１）式で与えられる。
【００２３】
確率ｆijは、ボクセルｊ、ピクセルｉ、コリメータ３０の開口部３８の位置関係および開口部３８の配列パターンであるＭ配列から幾何学的に決まる。しかしながら、ガンマ線の吸収や散乱がない理想的な条件下であっても、確率ｆijの値を計算によって厳密に求めることは、計算量が多く困難であるため、実際の計算では、ボクセル内の放射線源分布がボクセルの中心に置いた点放射線源で代表されるものと仮定して近似的に求める。
【００２４】
すなわち、ボクセルｊから放射されてピクセルｉに到達するガンマ線の経路は、ボクセルｊの中心を頂点とし、ピクセルｉを底面とする立錐を構成し、この立錐の頂点の立体角をΩ、立錐が切り取るコリメータ３０上の面積に占める開口部３８の面積の比（幾何光学的透過率）をτとすると、確率ｆijは、
ｆij＝（Ω／４π）・τ                              …（２）
として与えられる。なお、ボクセルに比してピクセルが小さい場合には、ピクセルの中心を頂点としてボクセルに接する面を底面とする立錐を構成することにより、この立錐から確率ｆijをより高精度に求めることができる。
【００２５】
放射線源の分布をＳ＝（Ｓ1，Ｓ2，…，Ｓn）、ガンマ線のカウント数をＰ*＝（Ｐ*1，Ｐ*2，…，Ｐ*m）と表すと、この分布Ｓを観測するという条件下でカウント数Ｐ*が得られる条件付き確率（尤度）Ｐｒｏｂ（Ｐ*｜Ｓ）は、ポアソン分布の式と（１）式とを用いて、以下の（３）式で表される。なお、（３）式において、記号「^」は、べき乗を表すものとする。
【００２６】
【数２】
0003860979.tif 000004
【００２７】
画像再構成部１８では、（３）式の条件付き確率Ｐｒｏｂ（Ｐ*｜Ｓ）が最大となる放射線源の分布Ｓを漸近的に求める。
【００２８】
図４は、画像再構成部１８において、（３）式を用いて放射線源の分布Ｓを具体的に求める際のフローチャートを示す。
【００２９】
先ず、被検体１４に投入された放射性同位元素（ＲＩ）から放射されるガンマ線をコリメータ３０およびシンチレータ４２を介して検出することにより、放射線源の投影データであるカウント数Ｐ*を収集する（ステップＳ１）。次に、推定放射線源の分布Ｓの初期値を設定した後（ステップＳ２）、放射線源の推定投影像である期待値Ｐ＝（Ｐ1，Ｐ2，…，Ｐm）を計算する（ステップＳ３）。なお、推定放射線源の分布Ｓの初期値は、例えば、一様分布となるように設定することができる。
【００３０】
次いで、ステップＳ３で求めた推定投影像である期待値Ｐと、ステップＳ１で収集した投影データであるカウント数Ｐ*とを比較し（ステップＳ４）、これらが許容誤差内にあるか否かを判定し（ステップＳ５）、許容誤差内にない場合には、推定投影像の不一致量Ｐ*／Ｐを計算する（ステップＳ６）。そして、この不一致量Ｐ*／Ｐを被検体１４に対して逆投影することにより（ステップＳ７）、推定放射線源の分布Ｓを修正する（ステップＳ８）。
【００３１】
ステップＳ３〜Ｓ８の処理を繰り返し行うことにより、期待値Ｐが漸近的にカウント数Ｐ*に近づくことになる。そして、ステップＳ５において、期待値Ｐとカウント数Ｐ*とが許容誤差内にあると判定された場合、そのときの推定放射線源の分布Ｓに基づき、ディスプレイ２２上に画像を再構成する（ステップＳ９）。
【００３２】
ここで、本実施形態のガンマカメラ装置１０では、コリメータ３０の位置を調節することにより、被検体１４の推定投影像を高い分解能で得ることができる。
【００３３】
すなわち、シンチレーション検出器４４とコリメータ３０との距離をＤ、コリメータ３０と被検体１４の検出面４８との距離をＺとすると、シンチレーション検出器４４には、検出面４８にある点放射線源からの放射線によって、コリメータ３０が拡大率α＝（Ｄ＋Ｚ）／Ｚで拡大された投影像Ｑが形成される（図５参照）。同様に、同じ検出面４８の他の点放射線源からの放射線によって、投影像Ｑをシンチレーション検出器４４上で平行移動させた投影像Ｑ′が形成される。また、異なる距離Ｚ″にある被検体１４の検出面４８″からの放射線は、コリメータ３０を拡大率α″＝（Ｄ＋Ｚ″）／Ｚ″で拡大した投影像Ｑ″をシンチレーション検出器４４に形成する。
【００３４】
従って、シンチレーション検出器４４に形成される投影像は、点放射線源の検出面４８（４８″）内での位置の情報を平行移動量として含むとともに、検出面４８（４８″）の深さの情報を拡大率として含むことになる。放射線源が広がりをもって分布する一般の場合、その投影像は、点放射線源の投影像の重ね合わせとして得ることができる。
【００３５】
コリメータ３０は、複数の開口部３８がＭ配列に従って配列されているため、１周期を積分範囲とする自己相関関数が原点に鋭いピークを持つことから、投影像ＱとＱ′をＭ配列の周期の整数倍を積分範囲とすることにより、相関係数が０となり、それぞれの投影像ＱとＱ′を分離することができる。
【００３６】
また、コリメータ３０の複数の開口部３８が、図２に示すように、複数の周期パターン４０で構成されているため、同一の検出面４８（４８″）上の点放射線源は、Ｍ配列の常に一定数分の周期の投影像を形成する。一方、異なる距離Ｚ、Ｚ″にある点放射線源による投影像Ｑ、Ｑ″は、拡大率α、α″が異なり、相関係数は小さくなる。従って、コリメータ３０の開口部３８の配列は、自己相関関数が原点に鋭いピークを持ち、周期的なパターンであるＭ配列が優れたものであることが了解される。なお、周期的な開口部３８の配列では、その周期の長さをＬとすると、距離Ｚにおいて、距離Ｖ＝Ｌ・（Ｄ＋Ｚ）／Ｚだけ隔たった点放射線源が全く同じ投影像を生ずる。そのため、被検体１４の検出面４８（４８″）内の観測範囲は、この距離Ｖ内でなければならない。
【００３７】
ここで、本実施形態のガンマカメラ装置１０では、図１に示すように、オペレータがノブ３６を回転させることにより、ねじ部材３４を介してコリメータ３０の位置を調節することができる。この場合、コリメータ３０の位置を調節することにより、シンチレーション検出器４４に形成される投影像の拡大率が変わるため、それによって、投影像の分解能を決定する距離Ｖも変わることになる。従って、距離Ｖを決定するコリメータ３０の位置を適宜設定することにより、検出面４８の位置に応じた高い分解能からなる投影像を得ることができる。
【００３８】
図６〜図１０は、コリメータ３０とプレート２８との距離ＺａをＺａ＝１０に固定し、シンチレーション検出器４４とコリメータ３０との距離ＤをＤ＝２０、３０、４０、５０、６０とした場合において、被検体１４側から見た拡大率α＝（Ｄ＋Ｚ）／Ｚと、シンチレーション検出器４４側から見た拡大率β＝（Ｄ＋Ｚ）／Ｄと、被検体１４の検出面４８での分解能γ＝ｐ・β（ｐ：コリメータ３０の開口部３８間の平均ピッチ、この実験では、ｐ＝１．５ｍｍとする。）との関係の実験結果を示す。横軸は、プレート２８と検出面４８との距離Ｚｐを表し、縦軸は、分解能γを表す。
【００３９】
この実験結果によると、被検体１４の表面からの検出面４８の距離（深さ）Ｚｐが大きくなるほど、拡大率αが減少する一方、拡大率βが増加する関係が得られ、分解能γ＝３ｍｍとなる点でこれらの拡大率α、βが一致している。この場合、拡大率α、βの差が大きくならない範囲でコリメータ３０の位置を調節することにより、高精度な分解能からなる投影像を得ることができる。なお、拡大率αは、α＝１．５〜３．５の範囲に設定することが望ましい。
【００４０】
以上のようにして、最適な分解能からなる投影像を得ることができる。得られた検出面４８の投影像は、検出面４８（４８″）における被検体１４の断層像としてディスプレイ２２に表示される。なお、複数の検出面４８（４８″）から得られた断層像を合成することにより、３次元画像を得ることができる。
【００４１】
また、被検体１４をガンマカメラ１６により異なる複数の撮像方向から撮像し、得られたデータを処理することにより、被検体１４の一層精細な３次元画像を再構成することができる。
【００４２】
なお、図１に示すように、画像再構成部１８に対して画像記録装置５０（画像供給手段）を接続しておき、この画像記録装置５０から供給された画像に対して前記投影像を重畳させてディスプレイ２２に表示することにより、検出面４８の画像をより正確に分析することができる。このような画像記録装置５０としては、例えば、ＣＴ診断装置、核医学診断装置、ＭＲ診断装置、デジタルカメラ装置等を挙げることができる。
【００４３】
ここで、図１１〜図１３は、１次元配列からなる半導体検出素子を用いたガンマカメラ１７の構成を示す。このガンマカメラ１７は、信号処理回路が搭載された回路基板１９、２１と、回路基板１９、２１に連結される１次元半導体検出素子２３とを収納する矩形状のケーシング２５を備える。ケーシング２５の一端部には、スペーサ２７を介してコリメータ２９が配設される。コリメータ２９には、１次元半導体検出素子２３と平行な方向に配列される複数の開口部３１が形成される。開口部３１の間隔は、Ｍ系列に従って設定される。一方、ケーシング２５の他端部には、ガンマカメラ１７を画像再構成部１８（図１参照）に接続するためのコネクタ３３が配設される。なお、コネクタ３３の近傍には、ガンマカメラ１７によるガンマ線のカウント開始スイッチ３５、ガンマカメラ１７の動作状態を示す表示灯３７、３９等が配設される。このように構成されるガンマカメラ１７では、コリメータ２９と１次元半導体検出素子２３との間隔がスペーサ２７によって調整可能である。
【００４４】
被検体１４から放射されたガンマ線は、コリメータ２９を介して１次元半導体検出素子２３に入射し、電気信号に変換される。変換された電気信号は、回路基板１９、２１に搭載された信号処理回路によってカウントされ、そのカウント値がコネクタ３３を介して画像再構成部１８に送信される。画像再構成部１８は、得られたカウント値から被検体１４の断層画像を構築し、ディスプレイ２２に表示する。
【００４５】
【発明の効果】
以上のように、本発明によれば、被検体と検出手段との間に配設される符号化開口板の位置を調節することにより、分解能の高い画像を得ることができる。
【図面の簡単な説明】
【図１】本実施形態のガンマカメラ装置の構成図である。
【図２】本実施形態のガンマカメラ装置に使用されるコリメータに形成されるＭ配列の開口部の説明図である。
【図３】本実施形態のガンマカメラ装置の原理説明に供する説明図である。
【図４】本実施形態のガンマカメラ装置における画像再構成処理のフローチャートである。
【図５】本実施形態のガンマカメラ装置によって３次元画像を得るための説明図である。
【図６】本実施形態のガンマカメラ装置におけるコリメータの位置と分解能との関係を説明する実験結果を示すグラフである。
【図７】本実施形態のガンマカメラ装置におけるコリメータの位置と分解能との関係を説明する実験結果を示すグラフである。
【図８】本実施形態のガンマカメラ装置におけるコリメータの位置と分解能との関係を説明する実験結果を示すグラフである。
【図９】本実施形態のガンマカメラ装置におけるコリメータの位置と分解能との関係を説明する実験結果を示すグラフである。
【図１０】本実施形態のガンマカメラ装置におけるコリメータの位置と分解能との関係を説明する実験結果を示すグラフである。
【図１１】本実施形態の１次元半導体検出素子を用いたガンマカメラの構成斜視図である。
【図１２】本実施形態の１次元半導体検出素子を用いたガンマカメラの横断面図である。
【図１３】本実施形態の１次元半導体検出素子を用いたガンマカメラの縦断面図である。
【符号の説明】
１０…ガンマカメラ装置            １２…寝台
１４…被検体                      １６、１７…ガンマカメラ
１８…画像再構成部                ２０…キーボード
２２…ディスプレイ                ２３…１次元半導体検出素子
２４ａ、２４ｂ…ガイドバー        ２６…カメラ本体
２８…プレート                    ２９、３０、３１…コリメータ
３２…ナット部材                  ３４…ねじ部材
３６…ノブ                        ３８…開口部
４０…周期パターン                ４２…シンチレータ
４４…シンチレーチョン検出器      ４６…信号処理回路
４８、４８″…検出面              ５０…画像記録装置
【図１】
0003860979.tif 000006
【図２】
0003860979.tif 000007
【図３】
0003860979.tif 000008
【図４】
0003860979.tif 000009
【図５】
0003860979.tif 000010
【図６】
0003860979.tif 000011
【図７】
0003860979.tif 000012
【図８】
0003860979.tif 000013
【図９】
0003860979.tif 000014
【図１０】
0003860979.tif 000015
【図１１】
0003860979.tif 000016
【図１２】
0003860979.tif 000017
【図１３】
0003860979.tif 000018